(57)【要約】【課題】浄水器本体及び整水器本体に接続される各流路に繋がる配管の取り回しをフレキシブルなものとして流し台の収容部壁面に近接して整水器本体を配置することのできる電解水生成装置を提供する。【解決手段】原水を浄化するろ過部を有した浄水器本体と、原水を筐体１１内に流入させる原水流入配管１２と、この原水流入配管を通って筐体内に流入する原水を通止水する弁１３の開閉により前記浄水器本体へと原水を供給する原水供給配管１４と、ろ過部でろ過された浄化水を筐体内へと供給する浄水供給配管１５と、浄化水を陰極水と陽極水とに電気分解する電解槽１６と、陰極水と陽極水をそれぞれ吐出する第１吐水配管１８及び第２吐水配管１９と、を有した整水器本体２とを備え、少なくとも原水供給配管１４と浄水供給配管１５の整水器本体２に対する接続部分を、該整水器本体を構成する筐体１１の側面１１ｂに対して回動自在に設けた。【選択図】図５
2008018326.tif 000002
【特許請求の範囲】
【請求項１】
原水を浄化するろ過部を有した浄水器本体と、
原水を筐体内に流入させる原水流入路と、この原水流入路を通って筐体内に流入する原水を通止水する弁の開閉により前記浄水器本体へと原水を供給する原水供給路と、前記ろ過部でろ過された浄化水を筐体内へと供給する浄水供給路と、浄化水を陰極水と陽極水とに電気分解する電解槽と、陰極水と陽極水をそれぞれ吐出する第１吐水路及び第２吐水路と、を有した整水器本体とを備え、
前記浄水器本体と前記整水器本体とを別体として構成すると共に、これら浄水器本体と整水器本体を前記原水供給路と前記浄水供給路とで接続し、
少なくとも前記原水供給路と前記浄水供給路の前記整水器本体に対する接続部分を、該整水器本体を構成する筐体の側面に対して回動自在に設けた
ことを特徴とする電解水生成装置。
【請求項２】
請求項１に記載の電解水生成装置であって、
前記接続部分は、前記筐体の一側面とこの一側面に隣り合う片方の面又は両方の面に開口して形成された溝に設けられた
ことを特徴とする電解水生成装置。
【請求項３】
請求項２に記載の電解水生成装置であって、
前記原水供給路の前記整水器本体に対する接続部分は、原水供給配管を前記筐体に接続させる原水供給用接続部材で構成し、
前記浄水供給路の前記整水器本体に対する接続部分は、浄水供給配管を前記筐体に接続させる浄水供給用接続部材で構成し、
前記原水供給用接続部材及び前記浄水供給用接続部材を前記溝が形成される部位に前記筐体に対して回動自在に取り付けて、前記原水供給配管及び前記浄水供給配管を、前記溝に沿ってその配管向きを自由自在に配索可能とした
ことを特徴とする電解水生成装置。
【請求項４】
請求項１から請求項３の何れか一つに記載の電解水生成装置であって、
前記原水流入路の前記整水器本体に対する接続部分は、原水流入配管を前記筐体の底面に接続させる原水流入用接続部材で構成すると共に、この原水流入用接続部材を前記筐体の底面に対して３６０度回動自在に取り付け、
前記第１吐水路及び第２吐水路の前記整水器本体に対する接続部分は、吐水配管を前記筐体の天面に接続させる吐水用接続部材で構成すると共に、この吐水用接続部材を前記筐体の天面に対して３６０度回動自在に取り付けた
ことを特徴とする電解水生成装置。
【請求項５】
請求項１から請求項３の何れか一つに記載の電解水生成装置であって、
前記原水流入路の前記整水器本体に対する接続部分は、原水流入配管を前記筐体の前記一側面とは反対側の対称裏面に接続させる原水流入用接続部材で構成すると共に、この原水流入用接続部材を前記対称裏面に形成した溝が形成される部位にこの筐体に対して回動自在に取り付け、
前記第１吐水路及び第２吐水路の前記整水器本体に対する接続部分は、吐水配管を前記筐体の天面に接続させる吐水用接続部材とで構成すると共に、この吐水用接続部材を前記筐体の天面に対して３６０度回動自在に取り付けた
ことを特徴とする電解水生成装置。
【請求項６】
請求項１から請求項５の何れか一つに記載の電解水生成装置であって、
前記原水供給路又は前記浄水供給路の途中に、前記電解槽での電気分解を促進させる電気分解促進剤を投入する投入口を設けた
ことを特徴とする電解水生成装置。
【請求項７】
請求項１から請求項６の何れか一つに記載の電解水生成装置の整水器本体を、流し台の収納壁面に近接して配置した
ことを特徴とする流し台。
【発明の詳細な説明】
【技術分野】
【０００１】
本発明は、アルカリイオン整水器などに使用される電解水生成装置及びこれを備えた流し台に関する。
【背景技術】
【０００２】
アンダーシンク型の浄水器付整水器は、十分な設置空間を確保できる流し台の天板上ではなく設置空間の狭い流し台下部に設置されるため、浄水器と整水器を同一ケーシング内に収容させた一体型構造のものが多い。
【０００３】
しかしながら、浄水器はカートリッジ（ろ過部）を取り替える必要があるため、この一体型構造のものでは取り替え作業が面倒であることから従来構造のものに代えて整水器の任意の箇所に取り付け自在なホルダーを設け、このホルダーに浄水器を着脱自在とした浄水器付整水器が提案されている（例えば、特許文献１参照）。
【０００４】
この浄水器付整水器によれば、浄水器をホルダーから取り外して新しいものに取り替える作業が極めて容易になる他、整水器周囲の任意の箇所に浄水器を取り付けることが可能となる。
【特許文献１】実用新案登録第２６０１４１５号公報
【発明の開示】
【発明が解決しようとする課題】
【０００５】
しかしながら、特許文献１に記載の浄水器付整水器では、浄水器と整水器を流し台下部のキャビネットに収納させているものの、これら浄水器と整水器とを接続する配管や原水を整水器を経由して浄水器へと供給する配管、或いは整水器で生成した陰極水及び陽極水を吐出する配管などの取り回しに関しては何ら考慮されていない。そのため、これら各種配管が邪魔になって浄水器付き整水器を壁面近傍に配置できず、収納空間を損なってしまう。
【０００６】
そこで本発明は、このような従来の課題を解決するために、浄水器本体及び整水器本体に接続される各流路に繋がる配管の取り回しをフレキシブルなものとして流し台の収容部壁面に近接して整水器本体を配置することのできる電解水生成装置及びそれを備えた流し台を提供することを目的とする。
【課題を解決するための手段】
【０００７】
請求項１に記載の電解水生成装置は、原水を浄化するろ過部を有した浄水器本体と、原水を筐体内に流入させる原水流入路と、この原水流入路を通って筐体内に流入する原水を通止水する弁の開閉により前記浄水器本体へと原水を供給する原水供給路と、前記ろ過部でろ過された浄化水を筐体内へと供給する浄水供給路と、浄化水を陰極水と陽極水とに電気分解する電解槽と、陰極水と陽極水をそれぞれ吐出する第１吐水路及び第２吐水路と、を有した整水器本体とを備え、前記浄水器本体と前記整水器本体とを別体として構成すると共に、これら浄水器本体と整水器本体を前記原水供給路と前記浄水供給路とで接続し、少なくとも前記原水供給路と前記浄水供給路の前記整水器本体に対する接続部分を、該整水器本体を構成する筐体の側面に対して回動自在に設けたことを特徴とする。
【０００８】
請求項２に記載の電解水生成装置は、前記接続部分は、前記筐体の一側面とこの一側面に隣り合う片方の面又は両方の面に開口して形成された溝に設けられたことを特徴とする。
【０００９】
請求項３に記載の電解水生成装置は、前記原水供給路の前記整水器本体に対する接続部分は、原水供給配管を前記筐体に接続させる原水供給用接続部材で構成し、前記浄水供給路の前記整水器本体に対する接続部分は、浄水供給配管を前記筐体に接続させる浄水供給用接続部材で構成し、前記原水供給用接続部材及び前記浄水供給用接続部材を前記溝が形成される部位に前記筐体に対して回動自在に取り付けて、前記原水供給配管及び前記浄水供給配管を、前記溝に沿ってその配管向きを自由自在に配索可能としたことを特徴とする。
【００１０】
請求項４に記載の電解水生成装置は、前記原水流入路の前記整水器本体に対する接続部分は、原水流入配管を前記筐体の底面に接続させる原水流入用接続部材で構成すると共に、この原水流入用接続部材を前記筐体の底面に対して３６０度回動自在に取り付け、前記第１吐水路及び第２吐水路の前記整水器本体に対する接続部分は、吐水配管を前記筐体の天面に接続させる吐水用接続部材とで構成すると共に、この吐水用接続部材を前記筐体の天面に対して３６０度回動自在に取り付けたことを特徴とする。
【００１１】
請求項５に記載の電解水生成装置は、前記原水流入路の前記整水器本体に対する接続部分は、原水流入配管を前記筐体の前記一側面とは反対側の対称裏面に接続させる原水流入用接続部材で構成すると共に、この原水流入用接続部材を前記対称裏面に形成した溝が形成される部位にこの筐体に対して回動自在に取り付け、前記第１吐水路及び第２吐水路の前記整水器本体に対する接続部分は、吐水配管を前記筐体の天面に接続させる吐水用接続部材で構成すると共に、この吐水用接続部材を前記筐体の天面に対して３６０度回動自在に取り付けたことを特徴とする。
【００１２】
請求項６に記載の電解水生成装置は、前記原水供給路又は前記浄水供給路の途中に、前記電解槽での電気分解を促進させる電気分解促進剤を投入する投入口を設けたことを特徴とする。
【００１３】
請求項７に記載の流し台は、請求項１から請求項６の何れか一つに記載の電解水生成装置の整水器本体を、流し台の収納壁面に近接して配置したことを特徴とする。
【発明の効果】
【００１４】
請求項１に記載の発明によれば、浄水器本体と整水器本体を原水供給路と浄水供給路とで接続し、これら原水供給路と浄水供給路の前記整水器本体に対する接続部分を、該整水器本体を構成する筐体の側面に対して回動自在に設けたので、原水供給路及び浄水供給路を構成する配管の向きを任意の方向に向けることができる。したがって、本発明によれば、配管が邪魔になることなく整水器本体を流し台の収納壁面に近接して配置することが可能となる。
【００１５】
請求項２に記載の発明によれば、整水器本体を構成する筐体の一側面とこの一側面に隣り合う片方の面又は両方の面に開口して形成された溝に、原水供給路と浄水供給路の整水器本体に対する接続部分を設けたので、前記溝に沿って配管の向きを自由自在に配索可能となると共に、その溝が形成された筐体の一側面から配管が飛び出て邪魔になることが防止される。したがって、本発明によれば、配管の取り回しに気を遣うことなく整水器本体を流し台の収納部壁面に近接して配置させることできる。
【００１６】
請求項３に記載の発明によれば、原水供給用接続部材及び浄水供給用接続部材を前記溝が形成される部位に筐体に対して回動自在に取り付けて、これら原水供給配管及び浄水供給配管を、前記溝に沿ってその配管向きを自由自在に配索可能としたので、配管と該配管を接続する接続部材の両方とも溝内に配置されることになるから筐体の一側面には突起部が無くなり、この整水器本体を流し台の収納壁面に近接させることができる。
【００１７】
請求項４に記載の発明によれば、原水流入用接続部材を整水器本体を構成する筐体の底面に対して３６０度回動自在に取り付けると共に、吐水用接続部材を筐体の天面に対して３６０度回動自在に取り付けたので、整水器本体に接続される全ての配管の向きを任意の向きに向けることができ、流し台の種類などにより様々な収納スペース形態に対応して整水器本体をその収納壁面に近接して配置させることができる。
【００１８】
請求項５に記載の発明によれば、原水流入用接続部材を整水器本体を構成する筐体の底面ではなく、原水供給配管及び浄水供給配管が取り付けられる一側面とは反対側の対称裏面に形成した溝にこの筐体に対して回動自在に取り付けると共に、吐水用接続部材を筐体の天面に対して３６０度回動自在に取り付けたので、整水器本体に接続される全ての配管の向きを任意の向きに向けることができ、流し台の種類などにより様々な収納スペース形態に対応して整水器本体をその収納壁面に近接して配置させることができる。
【００１９】
請求項６に記載の発明によれば、原水供給路又は浄水供給路の途中に、電解槽での電気分解を促進させる電気分解促進剤を投入する投入口を設けたので、この電気分解促進剤の添加を容易に実施することが可能となる。
【００２０】
請求項７に記載の発明によれば、本発明の整水器本体を、流し台の収納壁面に近接して配置させることで、その収納壁面に整水器本体を近接させて配置させることができ、流し台下部の収納空間を有効に利用することが可能となる。
【発明を実施するための最良の形態】
【００２１】
以下、本発明を適用した具体的な実施の形態について図面を参照しながら詳細に説明する。本実施の形態は、本発明に係る電解水生成装置を流し台の下部空間に配置したアンダーシンク型の電解水生成装置の例である。
【００２２】
「実施例」
図１は本発明の電解水生成装置を流し台に設置したときの配置例を示し、その流し台を正面から見た配置図、図２は図１の流し台を平面から見た配置図、図３は本発明の整水器本体を一方向から見たときの斜視図、図４は本発明の整水器本体を他方向から見たときの斜視図、図５は本発明の整水器本体の断面図である。
【００２３】
本実施例の電解水生成装置は、原水を浄化するろ過部を有した浄水器本体１と、ろ過部でろ過された浄化水を陰極水と陽極水とに電気分解する電解槽を有した整水器本体２とを備えている。
【００２４】
浄水器本体１は、図１に示すように、流し台３のシンク４が設けられる下部空間５内に配置され、その下部空間５を上下に仕切る仕切板６の下方に設けられたスライド収納部７に配置されている。スライド収納部７は、図２に示すように、流し台３に対して二点鎖線で示すように引き出し自在に構成されており、浄水器本体１を下部空間５の内部と外部との間で出し入れ可能としている。
【００２５】
かかる浄水器本体１は、原水を浄化するろ過部であるカートリッジ８と、このカートリッジ８を内部に収容するケース９とからなる。カートリッジ８は、活性炭層や中空糸膜層を内部に有し、水道水などの原水を浄化する。ケース９の内部には、後述する整水器本体２に設けた電解槽での電気分解を促進させる電気分解促進剤（例えばカルシウム製剤など）をカートリッジ８に流入する前の原水に供給する電気分解促進剤添加部１０が設けられている。電気分解促進剤を投入する投入口は、図示を省略するが原水供給路の途中であるカートリッジ８の前方に設けられている。
【００２６】
なお、電気分解促進剤は、カートリッジ８の前方で原水に添加する他に、カートリッジ８のろ材に混ぜてもよく、或いは、カートリッジ８で浄化された浄化水が整水器本体２へと浄水供給路を通って流れる途中の浄化水に添加してもよい。
【００２７】
整水器本体２は、図１及び図２に示すように、前記した流し台３の下部空間５を上下に仕切る仕切板６の上にその長手方向を高さ方向に向けて立設されている。整水器本体２には、図３から図５に示すように、原水を整水器本体２の底部からその筐体１１の内部に流入させる原水流入路を構成する原水流入配管１２と、この原水流入配管１２を通って筐体内に流入する原水を通止水する弁１３の開閉により前記浄水器本体１へと原水を供給する原水供給路を構成する原水供給配管１４と、浄水器本体１のカートリッジ（ろ過部）８でろ過された浄化水を再び整水器本体２の筐体内へと供給する浄水供給路を構成する浄水供給配管１５と、浄化水を筐体内に設けた電解槽１６で陰極水と陽極水とに電気分解してシンク４の上部に設けられた水栓１７へと吐出させる第１吐水路を構成する第１吐水配管１８及び第２吐水路を構成する第２吐水配管１９と、が接続されている。
【００２８】
原水流入配管１２の整水器本体２に対する接続部分は、原水流入配管１２を筐体１１の底面１１ａに接続させる原水流入用接続部材である原水流入用接続プラグ２０で構成されており、この原水流入用接続プラグ２０を前記底面１１ａに対して３６０度回動自在に取り付けている。かかる原水流入用接続プラグ２０は、筐体１１の底面１１ａに対して水平方向（面内方向）に３６０度回動自在とされており、原水流入配管１２を接続させる接続口２０Ａを任意の方向に向けることができるようにされている。
【００２９】
原水供給配管１４の整水器本体２に対する接続部分は、原水供給配管１４を筐体１１の一側面１１ｂに接続させる原水供給用接続部材である原水供給用接続プラグ２１で構成されており、この原水供給用接続プラグ２１を前記一側面１１ｂに対して回動自在に取り付けている。かかる原水供給用接続プラグ２１は、筐体１１の一側面１１ｂとこの一側面１１ｂに隣り合う両方の面１１ｃ、１１ｄにそれぞれ開口して形成された断面略コ字状をなす溝２２の一方の側壁２２ａに対して取り付けられている。
【００３０】
具体的には、原水供給用接続プラグ２１は、前記溝２２の一方の側壁２２ａにこの溝２２内へと突出する前記弁１３に連結する筐体内に設けられた原水送給配管２６の円筒連結部２６Ａに対して回動自在に取り付けられている。そして、この原水供給用接続プラグ２１は、原水供給配管１４を接続させる接続口２１Ａを一方の面１１ｃに開口する側と他方の面１１ｄに開口する側との間で約１８０度の回転角度を持って回動自在とされている。なお、原水供給用接続プラグ２１と円筒連結部２６Ａとの間には、原水の漏洩を防止するためのシール部材２８が設けられている。
【００３１】
浄水供給配管１５の整水器本体２に対する接続部分は、浄水供給配管１５を筐体１１の一側面１１ｂに接続させる浄水供給用接続部材である浄水供給用接続プラグ２３で構成されており、この浄水供給用接続プラグ２３を前記一側面１１ｂに対して回動自在に取り付けている。かかる浄水供給用接続プラグ２３は、原水供給用接続プラグ２１と同様、前記溝２２内に設けられており、その溝２２の他方の側壁２２ｂに対して取り付けられている。
【００３２】
具体的には、浄水供給用接続プラグ２３は、前記溝２２の他方の側壁２２ｂにこの溝２２内へと突出する前記電解槽１６と連結する筐体内に設けられた浄水送給配管２９の円筒連結部２９Ａに対して回動自在に取り付けられている。そして、この浄水供給用接続プラグ２３は、浄水供給配管１５を接続させる接続口２３Ａを一方の面１１ｃに開口する側と他方の面１１ｄに開口する側との間で約１８０度の回転角度を持って回動自在とされている。なお、浄水供給用接続プラグ２３と円筒連結部２９Ａとの間には、浄化水の漏洩を防止するためのシール部材３０が設けられている。
【００３３】
第１吐水配管１８の整水器本体２に対する接続部分は、第１吐水配管１８を筐体１１の天面１１ｅに接続させる吐水用接続部材である第１吐水用接続プラグ２４で構成されており、この第１吐水用接続プラグ２４を前記天面１１ｅに対して回動自在に取り付けている。かかる第１吐水用接続プラグ２４は、前記筐体１１の内部に設けられた電解槽１６の第１吐水用円筒連結部３１に対して回動自在に取り付けられており、前記天面１１ｅに対して水平方向（面内方向）に３６０度回動自在とされ、第１吐水配管１８を接続させる接続口２４Ａを任意の方向に向けることができるようにされている。なお、第１吐水用接続プラグ２４と第１吐水用円筒連結部３１との間には、陰極水（アルカリ水）の漏洩を防止するためのシール部材３２が設けられている。
【００３４】
第２吐水配管１９の整水器本体２に対する接続部分は、第２吐水配管１９を筐体１１の天面１１ｅに接続させる吐水用接続部材である第２吐水用接続プラグ２５で構成されており、この第２吐水用接続プラグ２５を前記天面１１ｅに対して回動自在に取り付けている。かかる第２吐水用接続プラグ２５は、前記筐体１１の内部に設けられた電解槽１６の第２吐水用円筒連結部３３に対して回動自在に取り付けられており、前記天面１１ｅに対して水平方向（面内方向）に３６０度回動自在とされ、第２吐水配管１９を接続させる接続口２５Ａを任意の方向に向けることができるようにされている。なお、第２吐水用接続プラグ２５と第２吐水用円筒連結部３３との間には、陽極水（酸性水）の漏洩を防止するためのシール部材３４が設けられている。
【００３５】
以上のように構成された電解水生成装置においては、図１及び図２に示す例におけるように、整水器本体２を流し台３の下部空間５の左角部奥に配置し、浄水器本体１をその長手方向を引き出し方向に向けて前記スライド収納部７の左角部奥に配置した場合であっても、原水供給用接続プラグ２１及び浄水供給用接続プラグ２３が筐体１１の一側面１１ｂに対して回動自在とされていることから、この原水供給用接続プラグ２１と浄水供給用接続プラグ２３に接続される原水供給配管１４と浄水供給配管１５を共に前記溝２２に沿ってその配管向きを１８０度の回転角度を持って配索することができ、出来るだけスライド収納部７の壁面近傍に近づけて配置させることが可能となる。また、これら原水供給配管１４及び浄水供給配管１５は、前記溝２２内に配索されるため、筐体１１の一側面１１ｂから突出しない。したがって、本実施例によれば、狭いスライド収納部７の収納空間を有効に利用することが可能となる。
【００３６】
また、本実施例の電解水生成装置においては、筐体１１の底面１１ａに設けた原水流入用接続プラグ２０を３６０度回動自在としているので、如何なる方向にもこの原水流入用接続プラグ２０に接続される原水流入配管１２を配索させることができる。
【００３７】
さらに、本実施例の電解水生成装置においては、第１吐水用接続プラグ２４及び第２吐水用接続プラグ２５も筐体１１の天面１１ｅに対して３６０度回動自在としているので、原水供給用接続プラグ２１と同様、如何なる方向にもこれら第１吐水用接続プラグ２４及び第２吐水用接続プラグ２５に接続される第１吐水配管１８及び第２吐水配管１９を配索させることができる。
【００３８】
また、本実施例の電解水生成装置においては、原水供給路又は浄水供給路の途中に電気分解促進剤を投入する投入口を設けたので、電気分解促進剤の添加を容易に実施することが可能となる。
【００３９】
そして、本実施例の流し台においては、前記したように整水器本体２に接続される原水流入配管１２、原水供給配管１４、浄水供給配管１５、第１吐水配管１８及び第２吐水配管１９の全ての配管がその配管の向きを任意の向きに自由に配索できるため、流し台３の狭い下部空間５を有効に活用することできる。
【００４０】
「その他の実施例」
図６は原水流入用接続部材を筐体の底面ではなく原水供給用接続部材が取り付けられた一側面とは反対側の対称裏面に形成した溝に取り付けた例を示す整水器本体の斜視図である。
【００４１】
前記した実施例では、原水流入用接続プラグ２０を筐体１１の底面１１ａに回動自在に取り付けたが、前記原水供給用接続プラグ２１及び浄水供給用接続プラグ２３を取り付けた一側面１１ｂとは反対側の対称裏面１１ｆに形成した溝３５の底面にこの筐体１１に対して回動自在に取り付けようにしてもよい。
【００４２】
図７から図１２は、浄水器本体１と整水器本体２を流し台３の任意の位置に配置したときの配置例を示す。
【００４３】
前記した実施例では、浄水器本体１をその長手方向を引き出し方向としてスライド収納部７の左角部奥に配置すると共に整水器本体２を流し台３の下部空間５の左角部奥に配置したが、図７及び図８に示すように、浄水器本体１はそのままの配置にして整水器本体２を下部空間５の右角部奥に配置した場合でも、整水器本体２に接続される原水流入配管１２、原水供給配管１４、浄水供給配管１５、第１吐水配管１８及び第２吐水配管１９の全ての配管がその配管の向きを任意の向きに自由に配索できるため、これら配管が邪魔になることなく整水器本体２を収納壁面に近接して配置することができ、流し台３の狭い下部空間５を有効に活用することできる。
【００４４】
この他、図９及び図１０に示すように、整水器本体２はそのままの配置にして浄水器本体１をその長手方向を引き出し方向としてスライド収納部７の右角部奥に配置した場合でも、同様に整水器本体２に接続される原水流入配管１２、原水供給配管１４、浄水供給配管１５、第１吐水配管１８及び第２吐水配管１９の全ての配管がその配管の向きを任意の向きに自由に配索できるため、これら配管が邪魔になることなく整水器本体２を収納壁面に近接して配置することができ、流し台３の狭い下部空間５を有効に活用することできる。
【００４５】
またこの他、図１１及び図１２に示すように、浄水器本体１をその長手方向を引き出し方向としてスライド収納部７の右角部奥に配置すると共に整水器本体２を流し台３の下部空間５の右角部奥に配置した場合でも、同様に整水器本体２に接続される原水流入配管１２、原水供給配管１４、浄水供給配管１５、第１吐水配管１８及び第２吐水配管１９の全ての配管がその配管の向きを任意の向きに自由に配索できるため、これら配管が邪魔になることなく整水器本体２を収納壁面に近接して配置することができ、流し台３の狭い下部空間５を有効に活用することできる。
【００４６】
このように、本実施例によれば、流し台３の下部空間５はその流し台３のタイプにより様々な形態とされているが、如何様にも整水器本体２を壁面に近接させて配置させることができ、その狭い下部空間５を有効に利用することが可能となる。
【図面の簡単な説明】
【００４７】
【図１】本発明の電解水生成装置を流し台に設置したときの配置例を示し、その流し台を正面から見た配置図である。
【図２】図１の流し台を平面から見た配置図である。
【図３】本発明の整水器本体を一方向から見たときの斜視図である。
【図４】本発明の整水器本体を他方向から見たときの斜視図である。
【図５】本発明の整水器本体の断面図である。
【図６】原水流入用接続部材を筐体の底面ではなく原水供給用接続部材が取り付けられた一側面とは反対側の対称裏面に形成した溝に取り付けた例を示す整水器本体の斜視図である。
【図７】浄水器本体はそのままの配置にして整水器本体を下部空間の右角部奥に配置したときの流し台を正面から見た配置図である。
【図８】図７の流し台を平面から見た配置図である。
【図９】整水器本体はそのままの配置にして浄水器本体をその長手方向を引き出し方向としてスライド収納部の右角部奥に配置したときの流し台を正面から見た配置図である。
【図１０】図９の流し台を平面から見た配置図である。
【図１１】浄水器本体をその長手方向を引き出し方向としてスライド収納部の右角部奥に配置すると共に整水器本体を流し台の下部空間の右角部奥に配置したときの流し台を正面から見た配置図である。
【図１２】図１１の流し台を平面から見た配置図である。
【符号の説明】
【００４８】
１…浄水器本体
２…整水器本体
３…流し台
４…シンク
５…下部空間
８…カートリッジ（ろ過部）
１０…電気分解促進剤添加部
１１…筐体
１１ａ…筐体の底面
１１ｂ…筐体の一側面
１１ｃ，１１ｄ…筐体の一側面に隣り合う面
１１ｆ…一側面と反対側の対称裏面
１２…原水流入配管（原水流入路）
１４…原水供給配管（原水供給路）
１５…浄水供給配管（浄水供給路）
１６…電解槽
１７…水栓
１８…第１吐水配管（第１吐水路）
１９…第２吐水配管（第２吐水路）
２０…原水流入用接続プラグ（原水流入用接続部材）
２１…原水供給用接続プラグ（原水供給用接続部材）
２２…筐体に形成された溝
２３…浄水供給用接続プラグ（浄水供給用接続部材）
２４…第１吐水用接続プラグ（吐水用接続部材）
２５…第２吐水用接続プラグ（吐水用接続部材）
【図１】
2008018326.tif 000003
【図２】
2008018326.tif 000004
【図３】
2008018326.tif 000005
【図４】
2008018326.tif 000006
【図５】
2008018326.tif 000007
【図６】
2008018326.tif 000008
【図７】
2008018326.tif 000009
【図８】
2008018326.tif 000010
【図９】
2008018326.tif 000011
【図１０】
2008018326.tif 000012
【図１１】
2008018326.tif 000013
【図１２】
2008018326.tif 000014